(57)【要約】      （修正有）【課題】人力による発電及び健康の増進を促進することができる電子装置及び電子システムを提供する。【解決手段】電子装置１０は、運動器具１２と、運動器具１２を介して入力される人力により発電する発電手段１４と、発電手段１４により発電された発電量を検出する検出手段１６と、検出手段１６により検出された発電量を集計する集計手段３４と、集計手段３４により集計された発電量に関する表示情報を生成する表示情報生成手段３６とを有する。【選択図】図１
2013022109.tif 000002
【特許請求の範囲】
【請求項１】
運動器具と、
前記運動器具を介して入力される人力により発電する発電手段と、
前記発電手段により発電された発電量を検出する検出手段と、
前記検出手段により検出された発電量を集計する集計手段と、
前記集計手段により集計された発電量に関する表示情報を生成する表示情報生成手段と
を有する電子装置。
【請求項２】
前記表示情報生成手段は、発電する人ごとの表示情報を生成する
請求項１記載の電子装置。
【請求項３】
前記運動器具は複数設けられ、
前記発電手段は前記運動器具ごとに設けられる
請求項１又は２記載の電子装置。
【請求項４】
前記表示情報生成手段は、前記運動器具ごとの表示情報を生成する
請求項３記載の電子装置。
【請求項５】
前記複数の運動器具及び前記複数の発電手段は、運動施設に設けられる
請求項３又は４記載の電子装置。
【請求項６】
前記発電手段により発電された電気を蓄積する蓄電手段をさらに有する
請求項１乃至５記載の電子装置。
【請求項７】
前記運動器具ごとに設けられた発電手段のうち、少なくとも２つ以上の発電手段の発電効率が相互に異なり、
前記表示手段は、前記運動器具ごとに発電量を表示する
請求項３乃至６記載の電子装置。
【請求項８】
運動器具と、
前記運動器具を介して入力される人力により発電する発電手段と、
前記発電手段により発電された発電量を検出する検出手段と、
前記検出手段により検出された発電量を送信する送信手段と
を有する電子装置と、
前記送信手段により送信された発電量を集計する集計手段と、
前記集計手段により集計された発電量に関する表示情報を生成する表示情報生成手段と
を有するサーバと
を備える電子システム。
【請求項９】
前記電子装置は複数の運動器具を有し、
前記発電手段は前記運動器具ごとに設けられる
請求項８記載の電子システム。
【請求項１０】
前記電子装置は複数設けられる
請求項８又は９記載の電子システム。
【請求項１１】
前記電子装置は複数の運動施設に設けられ、
前記表示情報生成手段は運動施設ごとの表示情報を生成する
請求項９記載の電子システム。
【発明の詳細な説明】
【技術分野】
【０００１】
本発明は、電子装置及び電子システムに関する。
【背景技術】
【０００２】
特許文献１は、自然現象に左右されない発電装置として、人力で発電する発電機をエアロバイクに搭載し、ペダルを漕ぐことで発電される電力をバッテリーに充電することについて開示している。
【０００３】
また、特許文献２は、グリーンエネルギー認証システムとして、太陽光発電によって発電されたグリーン電力の検針データ及び発電者データを携帯電話によりサーバに送信し、サーバでは、受信した検針データ及び発電者データに基づいて、発電者の発電データを計算することについて開示している。
【先行技術文献】
【特許文献】
【０００４】
【特許文献１】特開２０１０−５７３４７号公報
【特許文献２】特開２０１０−２４４１０７号公報
【発明の概要】
【発明が解決しようとする課題】
【０００５】
本発明は、上述した背景からなされたものであって、人力による発電及び健康の増進を促進することができる電子装置及び電子システムを提供することを目的とする。
【課題を解決するための手段】
【０００６】
［電子装置］
本発明は、運動器具と、前記運動器具を介して入力される人力により発電する発電手段と、前記発電手段により発電された発電量を検出する検出手段と、前記検出手段により検出された発電量を集計する集計手段と、前記集計手段により集計された発電量に関する表示情報を生成する表示情報生成手段とを有する電子装置である。
【０００７】
好適には、前記表示情報生成手段は、発電する人ごとの表示情報を生成する。
【０００８】
好適には、前記運動器具は複数設けられ、前記発電手段は前記運動器具ごとに設けられる。
【０００９】
好適には、前記表示情報生成手段は、前記運動器具ごとの表示情報を生成する。
【００１０】
好適には、前記複数の運動器具及び前記複数の発電手段は、運動施設に設けられる。
【００１１】
好適には、前記発電手段により発電された電気を蓄積する蓄電手段をさらに有する。
【００１２】
好適には、前記運動器具ごとに設けられた発電手段のうち、少なくとも２つ以上の発電手段の発電効率が相互に異なり、前記表示手段は、前記運動器具ごとに発電量を表示する。
【００１３】
［電子システム］
また、本発明は、運動器具と、前記運動器具を介して入力される人力により発電する発電手段と、前記発電手段により発電された発電量を検出する検出手段と、前記検出手段により検出された発電量を送信する送信手段とを有する電子装置と、前記送信手段により送信された発電量を集計する集計手段と、前記集計手段により集計された発電量に関する表示情報を生成する表示情報生成手段とを有するサーバとを備える電子システムである。
【００１４】
好適には、前記電子装置は複数の運動器具を有し、前記発電手段は前記運動器具ごとに設けられる。
【００１５】
好適には、前記電子装置は複数設けられる。
【００１６】
好適には、前記電子装置は複数の運動施設に設けられ、前記表示情報生成手段は運動施設ごとの表示情報を生成する。
【発明の効果】
【００１７】
本発明によれば、本構成を有していない場合と比べ、人力による発電及び健康の増進を促進することができる電子装置及び電子システムを提供することができる。
【図面の簡単な説明】
【００１８】
【図１】本発明の第１実施形態に係る電子装置１０の構成を示す模式図である。
【図２】情報処理プログラム３２の構成を示すブロック図である。
【図３】表示情報生成部３６により生成される表示情報の一例を示すグラフであり、利用者ごとの発電量を扇の面積の大きさにより示したグラフである。
【図４】表示情報生成部３６により生成される表示情報の一例を示すグラフであり、利用者ごとの発電量を月ごとに示すレーダーチャートである。
【図５】電子装置１０により発電量を表示する流れの一例を示すフローチャートである。
【図６】本発明の第２実施形態に係る電子装置５０の構成を示す模式図である。
【図７】発電量集計部３４により作成されるテーブルの一例を示す表である。
【図８】表示情報生成部３６が、図７に示したテーブルに基づいて生成する表示情報の一例を示すグラフである。
【図９】表示情報生成部３６によってリアルタイムに生成された表示情報の一例を示すグラフである。
【図１０】本発明の第３実施形態に係る電子システム６０の構成を示す模式図である。
【図１１】第３実施形態に係る電子システム６０により発電量を表示する流れの一例を示すフローチャートである。
【図１２】本発明の第４実施形態に係る電子システム８０の構成を示す模式図である。
【図１３】本発明の第５実施形態に係る電子システム９０の構成を示す模式図である。
【図１４】本発明の第５実施形態に係る電子システム９０により表示される表示情報の一例を示すグラフである。
【発明を実施するための形態】
【００１９】
以下、本発明の第１実施形態について図面を参照して説明する。
図１は、本発明の第１実施形態に係る電子装置１０の構成を示す模式図である。電子装置１０は、運動器具１２、発電部１４、発電量検出部１６、情報処理部１８、表示部２０、及び蓄電部２２から構成されている。
【００２０】
運動器具１２は、身体の運動に用いられる器具であり、例えば、健康の維持若しくは増進、又は筋力の強化などに用いられる。本実施形態に係る運動器具１２では、エアロバイクとして構成されている。また、他にも、例えば、ランニングマシン、ローイングマシンなどのフィットネスマシンとして構成してもよい。
【００２１】
運動器具１２は、図１に示すように例えばペダル等として構成される可動部２４を有しており、利用者が人力により可動部２４を可動させることで身体の運動がなされる。運動器具１２は、磁気カード又はＩＣカードその他の記憶媒体の読取りをする読取部２５を有していてもよい。また、運動器具１２は、後述する情報処理部１８に対する入出力を行なうユーザインタフェース２６を有していてもよい。
【００２２】
ユーザインタフェース２６は、例えば、液晶ディスプレイなどの表示装置並びにキーボード及びポインティングデバイスから構成されている。ユーザインタフェース２６は、情報処理部１８により生成された表示情報を表示する。なお、図１では、ユーザインタフェース２６は、運動器具１２に設けられているが、運動器具１２とは別の場所に設置されていてもよい。また、読取部２５に代えて、ユーザインタフェース２６が、磁気カード又はＩＣカードその他の記憶媒体の読取口を備えていてもよい。また、ユーザインタフェース２６は、運動器具１２に関する後述する識別情報を記憶した記憶装置を備えていてもよい。
【００２３】
発電部１４は、人力により発電する発電機として構成され、運動器具１２の可動部２４の可動に伴い、発電を行なう。発電部１４は、運動器具１２に内部に設置されていてもよく、また、外部に設置されていてもよい。
【００２４】
発電量検出部１６は、発電部１４と電力ケーブル２８により接続されており、例えば、電力計として構成されている。発電量検出部１６は、発電部１４により発電された発電量を検出し、情報処理部１８へ出力する。
【００２５】
情報処理部１８は、発電量検出部１６と例えば通信ケーブル３０により接続されており、図示しないＣＰＵ及びメモリを含むコンピュータとして構成されている。情報処理部１８は、発電量検出部１６から出力された発電量を入力として、後述する情報処理プログラム３２を実行し、発電量の集計及び発電量に関する表示情報を生成する。また、情報処理部１８は、生成した表示情報を情報処理部１８に接続された表示部２０又はユーザインタフェース２６へと出力する。
【００２６】
なお、本実施形態に係る情報処理部１８は、発電量検出部１６、表示部２０、読取部２５、及びユーザインタフェース２６と有線接続する構成としているが、無線接続する構成としてもよい。例えば、Ｚｉｇｂｅｅ（登録商標）、Ｂｌｕｅｔｏｏｔｈ（登録商標）、又は無線ＬＡＮ（Ｌｏｃａｌ  Ａｒｅａ  Ｎｅｔｗｏｒｋ）などの通信プロトコルによって無線通信を行なう構成としてもよい。
【００２７】
表示部２０は、液晶ディスプレイなどの表示装置として構成されており、情報処理部１８により生成された表示情報を表示する。
【００２８】
蓄電部２２は、蓄電池として構成され、発電部１４により生成された電気を蓄える。また、蓄電部２２は、蓄電池への蓄電を制御する蓄電制御装置をさらに備え、蓄電制御装置の制御のもと電気を蓄えてもよい。なお、蓄電を必要としない場合には、蓄電部２２を設けなくてもよい。
【００２９】
また、電子装置１０は、以上説明した構成に加え、運動器具１２における負荷の大きさ（例えば、運動器具１２に設定される運動メニュー）を制御する負荷制御装置２３を設けてもよい。ここで、運動器具１２における負荷とは、利用者の運動への負荷をいい、例えば、可動部２４にかかる負荷が該当する。負荷制御装置２３は、運動器具１２の内部又は外部に設置されており、発電部１４と電気的に接続されている。負荷制御装置２３が、発電部１４へ電気的に負荷をかけることにより、可動部２４にかかる負荷が調整される。また、負荷制御装置２３は、さらにユーザインタフェース２６と接続されていてもよい。なお、負荷制御装置２３は、可動部２４に直接、電気的に負荷をかけてもよい。
【００３０】
次に、電子装置１０の情報処理部１８で実行される情報処理プログラム３２について説明する。
【００３１】
図２は、情報処理プログラム３２の構成を示すブロック図である。
情報処理プログラム３２は、発電量集計部３４及び表示情報生成部３６から構成されている。
【００３２】
発電量集計部３４は、情報処理部１８に接続された発電量検出部１６から送られる発電量を示すデータを集計する。また、本実施形態に係る情報処理プログラム３２では、発電量集計部３４は、発電量に関する識別情報を受付け、識別情報と集計した発電量とを関連付ける。発電量集計部３４は、関連付けた発電量及び識別情報を表示情報生成部３６へと出力する。
【００３３】
なお、発電量集計部３４は、テーブルを用いて発電量と識別情報とを関連付けてもよい。また、発電量と識別情報との関連付けをデータベースとして実現してもよい。
【００３４】
ここで、識別情報とは、少なくとも運動器具１２の利用者を識別する情報（以下、利用者識別情報という）であり、さらに、運動器具１２を識別する情報（以下、運動器具識別情報という）、又は運動器具１２の設置場所を識別する情報（以下、設置場所識別情報という）を含んでもよい。また、識別情報として、発電がなされた日時を含んでもよい。
【００３５】
利用者識別情報は、例えば、ユーザインタフェース２６により利用者によって入力される。利用者識別情報は、例えば利用者の氏名又は利用者のＩＤなど、利用者を識別できる情報であればよい。また、例えば、磁気カード又はＩＣカードなどの記憶媒体に記憶された利用者情報が読取部２５により読み取られ、読み取られたデータが、情報処理部１８へ出力されてもよい。
【００３６】
運動器具識別情報は、運動器具１２を識別する情報であればよく、例えば、エアロバイク、ランニングマシン、ローイングマシンなどといった運動器具１２の種類でもよいし、さらに細かい識別情報として、運動器具の型番などを識別情報としてもよい。また、運動器具識別情報として、発電部１４の発電効率を用いてもよい。
【００３７】
設置場所識別情報は、運動器具１２が設置されている場所を識別する情報であればよく、例えば、自宅に設置されているのか、それともフィットネスクラブ若しくは体育館などの運動施設に設置されているのか、又は、どこの運動施設に設置されているかなどの情報を用いてもよい。
【００３８】
運動器具識別情報及び設置場所識別情報は、例えば、ユーザインタフェース２６を介して利用者により情報処理部１８へ入力されてもよいし、ユーザインタフェース２６に備えられた記憶装置に予め記憶された運動器具識別情報及び設置場所識別情報が情報処理部１８へ入力されてもよい。
【００３９】
表示情報生成部３６は、発電量集計部３４から出力された発電量データから、利用者が運動器具１２により運動することにより発電した発電量を示す表示情報を生成する。本実施形態に係る情報処理プログラム３２では、表示情報生成部３６は、発電量集計部３４により関連付けられた発電量及び識別情報に基づいて、利用者ごとの発電量を表示する表示情報を生成する。さらに、表示情報生成部３６は、生成した表示情報を表示部２０又はユーザインタフェース２６へと出力する。
【００４０】
図３及び図４は、それぞれ表示情報生成部３６により生成される表示情報の一例を示すグラフである。
図３は、利用者ごとの発電量をグラフとして示された扇の面積の大きさにより示している。また、図４は、利用者ごとの発電量を、月ごとに示すレーダーチャートである。
【００４１】
このように、本実施形態に係る表示情報生成部３６は、利用者ごとに発電量を表示する表示情報を生成する。なお、図３及び図４で示した例では、グラフにより発電量を表示したが、グラフとともに又はグラフに代えて、発電量の具体的な数値を表示してもよい。また、各利用者の全利用者中の順位をあわせて表示してもよい。
【００４２】
図５は、本実施形態に係る電子装置１０により発電量を表示する流れを示すフローチャートの一例である。
【００４３】
ステップ１００（Ｓ１００）において、運動器具１２を用いて運動（発電）する利用者を識別する情報を含んだ識別情報が発電量集計部３４へ入力される。
【００４４】
ステップ１０２（Ｓ１０２）において、利用者による運動器具１２を用いた運動が行なわれ、発電部１４が発電を行なう。また、蓄電部２２が、蓄電制御装置の制御のもと、発電された電気を蓄える。
【００４５】
ステップ１０４（Ｓ１０４）において、発電量検出部１６が、発電部１４により発電された発電量を検出し、検出した発電量のデータを情報処理部１８へ出力する。
【００４６】
ステップ１０６（Ｓ１０６）において、発電量集計部３４が、ステップ１０４で発電量検出部１６から送られた発電量を示すデータを集計する。発電量集計部３４は、集計された発電量と、ステップ１００で入力された識別情報とを関連付けて、表示情報生成部３６へ出力する。
【００４７】
ステップ１０８（Ｓ１０８）において、表示情報生成部３６が、発電量集計部３４により関連付けられた識別情報と発電量とに基づいて、発電量を示す表示情報を生成し、生成した表示情報を表示部２０又はユーザインタフェース２６へと出力する。
【００４８】
ステップ１１０（Ｓ１１０）において、表示部２０又はユーザインタフェース２６は、表示情報生成部３６から出力された表示情報を表示する。
【００４９】
本実施形態に係る電子装置１０によれば、利用者ごとの発電量が表示される。利用者は、自らの運動により発電された発電量を表示により確認することができる。また、本実施形態に係る電子装置１０によれば、利用者ごとの発電量が表示されるため、利用者は自らの発電量と他の利用者の発電量とを比較することができ、競争心が生まれ、更なる運動、すなわち健康の増進及び人力による発電を促進する。
【００５０】
次に、本発明の第２実施形態について図面を参照して説明する。
図６は、本発明の第２実施形態に係る電子装置５０の構成を示す模式図である。なお、第１実施形態と実質的に同様の構成機器については、同じ符号を示している。
【００５１】
第２実施形態に係る電子装置５０では、運動器具が複数ある点で第１の実施形態に係る電子装置１０と異なる。各運動器具には、第１の実施形態に係る電子装置１０と同様、それぞれ、発電部１４、発電量検出部１６、及び蓄電部２２が構成されている。さらに、各運動器具には、第１実施形態同様、負荷制御装置２３及びユーザインタフェース２６が設けられてもよい。また、第２実施形態では、発電量検出部１６と情報処理部１８とが無線接続されている。
【００５２】
図６に示す電子装置５０の一例では、運動器具として、複数の運動器具１２、及び運動器具１２とは異なる種類の運動器具である複数の運動器具５２から構成されている。運動器具５２は、例えばローイングマシンとして構成されている。ただし、図６では、運動器具として２種類を示したが、１種類又は３種類以上であってもよい。
【００５３】
また、電子装置５０は、例えば、フィットネスクラブ若しくは体育館などの運動施設に設置されている。運動施設に電子装置５０を設置することにより、運動施設の運営者等の管理下で電子装置５０が運用され、発電量の改ざん等の不正を防止し、発電量の厳正な集計が期待できる。
【００５４】
第２実施形態に係る情報処理部１８は、情報処理プログラム３２を実行し、各運動器具の発電量検出部１６から無線により送られる発電量から、表示情報を生成する。
【００５５】
図７は、第２実施形態に係る情報処理部１８において、発電量集計部３４により作成されるテーブルの一例である。
【００５６】
図７に示すように、発電量集計部３４は、例えば、発電量と、識別情報（運動（発電）がなされた日時、運動をした利用者、運動に用いた運動器具、当該器具の発電効率、運動器具の設置場所）とを関連づけたテーブルを作成する。表示情報生成部３６は、例えば、図７に示したテーブルに基づいて、表示情報を生成する。
【００５７】
図８は、表示情報生成部３６が、図７に示したテーブルに基づいて生成する表示情報の一例である。図８に示すように、利用者ごとの発電量を運動器具ごとに表示することができる。図８に示した例では、さらに、各利用者における全利用者中の順位の表示がされており、利用者の競争心又は意欲を刺激することができる。
【００５８】
なお、図８に示した例では、運動器具ごとの発電効率が備考として表示されているが、例えば、発電効率に基づいて発電量を換算し、換算された発電量をグラフ化してもよい。換算された発電量としては、例えば、発電量に発電効率の逆数を乗じた値を換算発電量として表示してもよい。また、図８に示した例では、運動器具別の表示を示したが、運動器具別の表示ではなく合計発電量の表示としてもよい。
【００５９】
図８に示した例では、任意の期間（例えば、１ヶ月間）における総発電量を示しているが、表示情報生成部３６は、利用者ごとの発電量をリアルタイムで表示情報を生成してもよい。
図９は、表示情報生成部３６によってリアルタイムに生成された表示情報の一例である。図９に示した例では、横軸は時刻、縦軸は発電量とし、利用者ごとの現在の発電量及び現在までの発電量の推移をグラフ化している。図９に示す表示では、横軸の「現在時刻」の位置において、利用者の現在の運動による発電量を即時に表示している。また、横軸の「現在時刻」よりも左側には、現在時刻までの各利用者の発電量の推移が示されている。
なお、第２実施形態に係る表示情報生成部３６においても、第１実施形態と同様に、図３又は図４を一例として説明した表示情報を生成してもよい。ここで、第１実施形態及び後述する第３実施形態においては、１つの運動器具が設けられている例を示しているため、第１実施形態及び第３実施形態に係る図３及び図４に示した表示では、各利用者の任意の期間における総発電量を示している。一方、本実施形態、後述する第４実施形態及び後述する第５実施形態においては、図４に示す表示については、第１実施形態及び第３実施形態と同様であるが、図３に示す表示としては、第１実施形態及び第３実施形態と同様に各利用者の任意の期間における総発電量の表示としてもよいし、各利用者の現在の運動による発電量を即時に同時に表示して、リアルタイムの比較をしてもよい。
【００６０】
次に本発明の第３実施形態について図面を参照して説明する。
図１０は、本発明の第３実施形態に係る電子システム６０の構成を示す模式図である。図１０においても、第１実施形態と実質的に同様の構成機器については、同じ符号を示している。
【００６１】
第３実施形態に係る電子システム６０では、ネットワーク６６に接続されたサーバ６８により、情報処理部１８が構成されている点で異なる。
【００６２】
電子システム６０は、電子装置６２とサーバ６８とから構成されている。電子装置６２は、第１実施形態に係る電子装置１０と異なり、情報処理部１８を有しておらず、発電量検出部１６には通信機器６４が接続されている。
【００６３】
通信機器６４は、発電量検出部１６から出力された発電量をネットワーク６６に接続されたサーバ６８へと送信する。本実施形態に係る通信機器６４は、例えば、ユーザインタフェース２６を介して通信機器６４に入力された識別情報についても、サーバ６８へと送信する。
【００６４】
なお、通信機器６４は、発電量検出部１６又はユーザインタフェース２６と無線接続する構成でもよく、さらに、通信機器６４は、ネットワーク６６に無線接続する構成でもよい。また、通信機器６４は、例えばスマートフォン、タブレット端末などとして構成されていてもよい。
【００６５】
サーバ６８には、第１実施形態に係る電子装置１０と同様の情報処理部１８が構成されている。サーバ６８では、情報処理部１８が第１実施形態と同様、情報処理プログラム３２を実行し、ネットワーク６６を介して通信機器６４から送信された発電量の集計をし、さらに発電量に関する表示情報を生成する。
【００６６】
また、サーバ６８は、ネットワーク６６に接続された表示部７０に表示情報を出力する。なお、サーバ６８は、ユーザインタフェース２６へと出力する構成としてもよい。
【００６７】
表示部７０は、第１実施形態に係る電子装置１０における表示部２０と同様の構成でもよく、また、ユーザインタフェースとして構成され、サーバ６８に対し、所望の表示情報を要求できる構成となっていてもよい。
【００６８】
図１１は、本実施形態に係る電子システム６０により発電量を表示する流れを示すフローチャートの一例である。
【００６９】
ステップ２００（Ｓ２００）において、電子装置６２において、運動器具１２を用いて運動（発電）する利用者を識別する情報を含んだ識別情報がユーザインタフェース２６により識別される。
【００７０】
ステップ２０２（Ｓ２０２）において、電子装置６２は、識別情報をサーバ６８へと送信する。
【００７１】
ステップ２０４（Ｓ２０４）において、サーバ６８は、ネットワーク６６を介して、電子装置６２から送信された識別情報を受信する。
【００７２】
ステップ２０６（Ｓ２０６）において、電子装置６２では、利用者による運動器具１２を用いた運動が行なわれ、発電部１４が発電を行なう。また、蓄電部２２が、蓄電制御装置の制御のもと、発電された電気を蓄える。
【００７３】
ステップ２０８（Ｓ２０８）において、電子装置６２では、発電量検出部１６が、発電部１４により発電された発電量を検出し、検出した発電量のデータを通信機器６４へ出力する。
【００７４】
ステップ２１０（Ｓ２１０）において、電子装置６２は、通信機器６４により発電量のデータをサーバ６８へと送信する。
【００７５】
ステップ２１２（Ｓ２１２）において、サーバ６８では、発電量集計部３４がネットワーク６６を介して送信した発電量を示すデータを集計し、集計された発電量と、ステップ２０４で受信した識別情報とを関連付けて、表示情報生成部３６へ出力する。
【００７６】
ステップ２１４（Ｓ２１４）において、表示部７０は、サーバ６８に対して、表示を要求する。
【００７７】
ステップ２１６（Ｓ２１６）において、サーバ６８では、表示情報生成部３６が、表示部７０による要求に応じた表示情報を、発電量集計部３４により関連付けられた識別情報と発電量とに基づいて生成する。
【００７８】
ステップ２１８（Ｓ２１８）において、サーバ６８は、ステップ２１６で生成した表示情報を表示部７０へと送信する。
【００７９】
ステップ２２０（Ｓ２２０）において、表示部７０は、サーバ６８から送信された表示情報を表示する。これにより、表示部７０には、例えば、図３又は図４を一例として説明した表示情報が表示される。
【００８０】
次に本発明の第４実施形態について図面を参照して説明する。
図１２は、本発明の第４実施形態に係る電子システム８０の構成を示す模式図である。図１２において、図１０に示した第３実施形態と実質的に同様の構成機器については、同じ符号を示している。
【００８１】
第４実施形態に係る電子システム８０では、運動器具が複数ある点で第３実施形態に係る電子システム６０と異なる。各運動器具には、第３実施形態に係る電子装置６２と同様、それぞれ、発電部１４、発電量検出部１６、及び蓄電部２２が構成されている。さらに、各運動器具には、第３実施形態同様、負荷制御装置２３及びユーザインタフェース２６が設けられてもよい。
【００８２】
また、第４実施形態に係る電子システム８０では、第３実施形態に係る電子装置６２における通信機器６４に代えて、ローカルサーバ６３及びルータ６５を備えている。ローカルサーバ６３は、発電量検出部１６と無線接続されており、ローカルサーバ６３はルータ６５を介して発電量検出部１６から出力された発電量をネットワーク６６に接続されたサーバ６８へと送信する。
【００８３】
ローカルサーバ６３は、利用者を認証する機能を有していてもよい。例えば、ローカルサーバ６３は、利用者を認証し、認証した利用者に基づいて利用者識別情報を生成して、ネットワーク６６に接続されたサーバ６８へ送信してもよい。また、ローカルサーバ６３は、認証した利用者が利用する運動器具の運動器具識別情報をサーバ６８へ送信してもよい。
【００８４】
なお、第４実施形態では、発電量検出部１６とローカルサーバ６３とが無線接続されているが、有線接続としてもよい。
また、ローカルサーバ６３は、ルータ６５を介してネットワーク６６と有線接続されているが、無線接続でもよい。
【００８５】
電子システム８０における電子装置８２は、第３実施形態における電子装置６２とは異なり、複数の運動器具による発電量データをサーバ６８へと送信する。一方、サーバ６８では、複数の運動器具による発電量データを受信し、表示情報を生成する。これにより、例えば、図３，図４，図８，及び図９を一例として説明した表示情報が生成される。なお、本実施形態においても、運動器具別の表示ではなく合計発電量の表示としてもよい。
【００８６】
次に本発明の第５実施形態について図面を参照して説明する。
図１３は、本発明の第５実施形態に係る電子システム９０の構成を示す模式図である。図１３において、図１２に示した第４実施形態と実質的に同様の構成機器については、同じ符号を示している。
【００８７】
図１３に示すように、第５実施形態に係る電子システム９０では、第４実施形態に係る電子装置８２が複数の運動施設に設置されている点で、第４実施形態に係る電子システム８０と異なる。図１３では、運動施設α及び運動施設βにそれぞれ電子装置８２が設置されているが、さらに多くの運動施設に電子装置８２が設置されていてもよい。また、自宅等の運動施設以外に電子装置８２が設置されていてもよいし、電子装置８２の代わりに、図１０に示した電子装置６２が設置されていてもよい。
【００８８】
電子システム９０におけるサーバ６８では、各運動施設に設置された電子装置８２から送信される発電量データを受信し、表示情報を生成する。
【００８９】
図１４は、第５実施形態に係る電子システム９０により表示される表示情報の一例を示すグラフである。図１４に示すグラフのように、電子システム９０は、例えば、運動施設ごと、利用者ごと、運動器具ごとに発電量を表示する。なお、第５実施形態においても、図３，図４，図８，及び図９を一例として説明した表示がなされてもよい。また、本実施形態においても、運動器具別の表示ではなく合計発電量の表示としてもよい。
【００９０】
第１実施形態から第５実施形態において、発電された電気を蓄電部２２に蓄電する構成としたが、蓄電部２２は必ずしも必要ではなく、例えば、蓄電部２２の代わりに、スマートグリッドなどの電力網に接続して、発電された電気を利用する構成としてもよい。
【００９１】
以上説明した電子装置又は電子システムによれば、利用者は、自らの運動により発電された発電量を表示により確認することができる。また、利用者ごとの発電量が表示されるため、利用者は、自らの発電量と他の利用者の発電量とを比較することができ、競争心が生まれ、更なる運動、すなわち健康の増進及び人力による発電を促進する。
【符号の説明】
【００９２】
１０          電子装置
１２          運動器具
１４          発電部
１６          発電量検出部
１８          情報処理部
２０          表示部
２２          蓄電部
２６          ユーザインタフェース
３４          発電量集計部
３６          表示情報生成部
６８          サーバ
７０          表示部
【図１】
2013022109.tif 000003
【図２】
2013022109.tif 000004
【図３】
2013022109.tif 000005
【図４】
2013022109.tif 000006
【図５】
2013022109.tif 000007
【図６】
2013022109.tif 000008
【図７】
2013022109.tif 000009
【図８】
2013022109.tif 000010
【図９】
2013022109.tif 000011
【図１０】
2013022109.tif 000012
【図１１】
2013022109.tif 000013
【図１２】
2013022109.tif 000014
【図１３】
2013022109.tif 000015
【図１４】
2013022109.tif 000016
【手続補正書】
【提出日】平成24年7月25日(2012.7.25)
【手続補正１】
【補正対象書類名】特許請求の範囲
【補正対象項目名】全文
【補正方法】変更
【補正の内容】
【特許請求の範囲】
【請求項１】
複数の運動器具と、
前記運動器具のそれぞれに設けられ、前記運動器具を介して入力される人力により発電する発電手段と、
前記発電手段により発電された発電量を検出する検出手段と、
前記検出手段により検出された発電量の情報を転送する通信を行う通信手段と、
前記検出手段により検出され、前記通信手段による通信により転送された複数の前記運動器具の発電量を集計する集計手段と、
前記集計手段により集計された発電量に関する表示情報を生成する表示情報生成手段と
を有し、
前記運動器具ごとに設けられた発電手段のうち、少なくとも２つ以上の発電手段の発電効率が相互に異なり、
前記表示情報生成手段は、前記集計手段により集計された発電量を発電効率に基づいて換算した値を表示情報として生成する
電子装置。
【請求項２】
前記表示情報生成手段は、発電する人ごとの発電量についての情報をリアルタイムに比較して表示する表示情報を生成する
請求項１記載の電子装置。
【請求項３】
前記表示情報生成手段は、前記運動器具ごとの表示情報を生成する
請求項１又は２記載の電子装置。
【請求項４】
前記複数の運動器具及び前記複数の発電手段は、運動施設に設けられる
請求項１乃至３いずれか記載の電子装置。
【請求項５】
前記発電手段により発電された電気を蓄積する蓄電手段をさらに有する
請求項１乃至４いずれか記載の電子装置。
【請求項６】
複数の運動器具と、
前記運動器具のそれぞれに設けられ、前記運動器具を介して入力される人力により発電する発電手段と、
前記発電手段により発電された発電量を検出する検出手段と、
前記検出手段により検出された発電量の情報を転送する通信を行う通信手段と、
前記検出手段により検出され、前記通信手段による通信により転送された複数の前記運動器具の発電量を送信する送信手段と
を有する電子装置と、
前記送信手段により送信された複数の前記運動器具の発電量を集計する集計手段と、
前記集計手段により集計された発電量について、発電する人ごとの発電量をリアルタイムに比較して表示する表示情報を生成する表示情報生成手段と
を有し、
前記運動器具ごとに設けられた発電手段のうち、少なくとも２つ以上の発電手段の発電効率が相互に異なり、
前記表示情報生成手段は、前記集計手段により集計された発電量を発電効率に基づいて換算した値を表示情報として生成する
サーバと
を備える電子システム。
【請求項７】
前記電子装置は複数設けられる
請求項６記載の電子システム。
【請求項８】
前記電子装置は複数の運動施設に設けられ、
前記表示情報生成手段は運動施設ごとの表示情報を生成する
請求項７記載の電子システム。